(57)【要約】【課題】簡単な構造でシールテープからシールを剥離して対象物に貼付することができ、取扱性に優れるとともに、玩具自体の小型化を図ることができるシール玩具を提供すること。【解決手段】玩具本体１はシールａがベーステープ２ａ上に仮着されたシールテープ２を供給する供給リール４と、シールテープ２を巻取る巻取リール５と、玩具本体１の前部に配置されたガイド板６とを備え、上記ガイド板６の先端を上記玩具本体１の前部から露出させるとともに、上記シールテープ２は上記ガイド板６の先端を折り返して上記巻取リール５に巻き取られるようにし、上記玩具本体１の先端に形成した舌片７を上記ガイド板６の先端よりも前方に突出させ、上記巻取リール５は玩具本体１の外部から回転操作可能にし、上記シールａの弾性率を上記ベーステープ２ａの弾性率よりも大きく設定した。【選択図】図１
0003108424.tif 000002
【実用新案登録請求の範囲】
【請求項１】
以下の要件を備えることを特徴とする、シール玩具。
（イ）玩具本体はシールがベーステープ上に仮着されたシールテープを供給する供給リールと、該供給リールに巻きつけられたシールテープを巻取る巻取リールと、玩具本体の前部に配置されたガイド板とを備えていること
（ロ）上記ガイド板の先端は上記玩具本体の前部から露出するとともに、上記シールテープは上記ガイド板の先端を折り返して上記巻取リールに巻き取られること
（ハ）上記玩具本体の先端には舌片が突出して形成され、該舌片は上記ガイド板の上方に位置するとともに、先端は上記ガイド板の先端よりも前方に突出していること
（ニ）上記巻取リールは上記玩具本体の外部から回転操作可能に構成されていること
（ホ）上記シールの弾性率を上記ベーステープの弾性率よりも大きく設定したこと
【請求項２】
以下の要件を備えることを特徴とする、請求項１記載のシール玩具。
（イ）前記供給リール、巻取リール及びガイド板とをカートリッジに内装し、該カートリッジの先端には前記舌片を形成したこと
（ロ）上記カートリッジはホルダーに着脱可能に収容され、該ホルダーには前記巻取リールに係合する係合軸が設けられ、該係合軸は上記ホルダーの外部から回転操作可能に形成されていること
（ハ）上記カートリッジの先端は上記ホルダーの先端から前方に突出していること
【考案の詳細な説明】
【技術分野】
【０００１】
本考案は、シール玩具、詳しくはシールを爪などに貼付することができるシール玩具に関するものである。
【背景技術】
【０００２】
従来、シールといえば粘着性の弱いシートの表面にシールを予め貼り付けられておき、このシールを手で剥がして他の物品に貼り付けるようにしたものが一般的であったが、いちいち手で剥がさず簡単にシールを他の物品に貼り付けることができるようにしたシール玩具が本出願人より提案されている（例えば、特許文献１）。
【特許文献１】実用新案登録第３０７８３１８号公報
【考案の開示】
【考案が解決しようとする課題】
【０００３】
本考案が解決しようとする問題点は、上述のシール玩具はシールテープからシールを剥がすために別途剥離用のゴムローラを備えているため、ゴムローラのメンテナンスが必要になり取扱性に難点があるとともに、構成部品が増えて小型化が難しい点であった。
【０００４】
本考案は、上記問題点を解決し、簡単な構造でシールテープからシールを剥離して対象物に貼付することができ、取扱性に優れるとともに、玩具自体の小型化を図ることができるシール玩具を提供することを課題とする。
【課題を解決するための手段】
【０００５】
前記課題を解決するために本考案に係るシール玩具は、下の要件を備えることを特徴とする。
（イ）玩具本体はシールがベーステープ上に仮着されたシールテープを供給する供給リールと、該シールテープを巻取る巻取リールと、玩具本体の前部に配置されたガイド板とを備えていること
（ロ）上記ガイド板の先端は上記玩具本体の前部から露出するとともに、上記シールテープは上記ガイド板の先端を折り返して上記巻取リールに巻き取られること
（ハ）上記玩具本体の先端には舌片が突出して形成され、該舌片は上記ガイド板の上方に位置するとともに、先端は上記ガイド板の先端よりも前方に突出していること
（ニ）上記巻取リールは上記玩具本体の外部から回転操作可能に構成されていること
（ホ）上記シールの弾性率を上記ベーステープの弾性率よりも大きく設定したこと
【０００６】
なお、前記シール玩具は、以下の要件を備えることが好ましい。
（イ）前記供給リール、巻取リール及びガイド板とをカートリッジに内装し、該カートリッジの先端には前記舌片を形成したこと
（ロ）上記カートリッジはホルダーに着脱可能に収容され、該ホルダーには前記巻取リールに係合する係合軸が設けられ、該係合軸は上記ホルダーの外部から回転操作可能に形成されていること
（ハ）上記カートリッジの先端は上記ホルダーの先端から前方に突出していること
【考案の効果】
【０００７】
請求項１の考案によれば、シールの弾性率をベーステープの弾性率よりも大きく設定するとともに、供給リールに巻かれているシールテープを巻取リールで巻き取る際に、ガイド板の先端を鋭角に折り返すようにしたので、シールは自動的にベーステープから離れ、離れたテープを舌片で対象物に貼付することができ、巻取リールを回転させるだけの簡単な構造と操作でシールを用意に対象物に貼付することができるシール玩具を提供することができる。
【０００８】
請求項２の考案によれば、シールテープが内蔵されたカートリッジをホルダーに取り付け、ホルダーに設けたダイヤルを回転するだけでシールを対象物に貼付することができるとともに、カートリッジを交換することにより様々なシールを選択することができ、シール貼りの楽しみを倍化させることができる。
【考案を実施するための最良の形態】
【０００９】
玩具本体には表面にシールが仮着されたシールテープが巻きつけられた供給リールと、この供給リールに巻きつけられたシールテープを巻取る巻取リールと、を配置するとともに、玩具本体の先端には舌片の先端を突出させて配置し、回転機構を外部から回転操作することにより、上記シールテープは舌片の先端を経由して上記巻取リールに巻き取られるようにし、上記シールの弾性率を上記シールテープよりも大きくし、変形しにくくすることにより、シールテープが上記舌片の先端を通過する際にシールがシールテープから剥離するようにした。
【実施例１】
【００１０】
図１（ａ）は、本考案に係るシール玩具の一例を示し、このシール玩具Ａはダイヤル１７を回してシールテープ２を送るだけでベーステープ２ａ上に仮着されているシールａをベーステープ２ａ（図３（ａ）（ｂ）参照）から剥がし、剥がしたシールａを爪や持ち物に簡単に貼り付けすることができるようにしたものである。
【００１１】
玩具本体１は、図１（ｂ）に示すように、ケース３と、このケース３の内部に配置された供給リール４と、巻取リール５と、ガイド板６とで主に構成され、供給リール４はシールａがベーステープ２ａ上に仮着されたシールテープ２が予め巻き付けられているもので、この供給リール４に巻き付けられているシールテープ２はケース３の前部に配置されたガイド板６を経由して巻取リール５に巻き取ることができるようになっている。
【００１２】
ガイド板６は、シールテープ２が外れないように両側部にガイド縁６ａが形成され、支軸６ｂがケース３の軸受孔９に回動可能に軸支されている。
【００１３】
図２に示すように、上記ケース３は左ケース部材３ａ、右ケース部材３ｂの２部材から構成され、左ケース部材３ａ、右ケース部材３ｂの先端は前方に突出して舌片７が形成されるとともに、底面には上記ガイド板６の先端を露出させる開口部８が形成されている。
【００１４】
左ケース部材３ａには供給リール４と巻取リール５に対応して、ラチェットギヤ１０、１２が環状に形成されたラチェット板１１、１３が支軸１４、１５に支持されるとともに、適宜手段（接着剤など）で内壁面に固定されている。この支軸１４、１５にはそれぞれ供給リール４、巻取リール５を保持して回転する第１の回転板１６と、ダイヤル１７を構成する第２の回転板に形成された軸部１８、１９が回転可能に軸支され、この第１と第２の回転板１６、１７の軸部１８、１９には供給リール４と巻取リール５とがそれぞれ取り付けられている。
【００１５】
各リール４、５の軸穴２０、２１にはそれぞれキー溝２０ａ、２１ａが形成され、回転板１６、１７の軸部１８、１９にはキー溝２０ａ、２１ａに対応してキー１８ａ、１９ａが形成され、リール４、５を回転板１６、１７に取り付けたときにはキー溝２０ａ、２１ａにキー１８ａ、１９ａがそれぞれ噛み合い、リール４、５は回転板１６、１７と一体で回転するようになっている。
【００１６】
なお、右側のケース３ｂの内側面には、支軸２５、２６が突出して形成されており、この支軸２５、２６とラチェット板１１、１３の支軸１４、１５が軸孔２２、２３を軸支して回転板１６、１７を回転可能に軸支している。
【００１７】
そして、上記第１の回転板１６には上記ラチェット板１１のラチェットギヤ１０に噛み合う２つの係止爪２７が軸部１８に対して対称に形成されている。この係止爪２７はシールテープ２が巻取リール５に巻き取られて供給リール４が反時計方向に回転する際に、惰性で回転してシールテープ２が弛まないように常にテンションをかけるようにするためのものである。
【００１８】
第２の回転板１７も第１の回転板１６と同様に、２つの係止爪２８が軸部１９に対して対称に形成され、第２の回転板１７を時計方向に回転させることにより、供給リール４に巻きつけてあるシールテープ２を巻き取るが、第２の回転板１７の回転を止めたときにシールテープ２の張りで逆転してシールテープ２が弛まないようにするためのものである。
【００１９】
なお、第２の回転板１７は周面に指掛りが周設されるとともに上部がカバー３ａに形成された切欠き部２９から上方に突出し、ケース３の外から時計方向（図１上で）に回転させることができるダイヤルの機能を備えている。
【００２０】
シールテープ２は、図３（ａ）（ｂ）に示すように、様々なデザインが施された多数のシールａを透明又は不透明なベーステープ２ａ上に仮着したもので、シールａは爪の上に貼れる程度の大きさに形成され、その弾性率をベーステープ２ａの弾性率よりも大きく設定し、ベーステープ２ａを折り曲げたときシールａはベーステープ２ａから剥離するようになっていればよい。
【００２１】
上記構成のシール玩具Ａは、回転板１６、１７を支軸１４、１５にそれぞれ支持させ、リール４、５を回転板１６、１７の軸部１８、１９に取り付けた後、シールテープ２の先端を摘んで引き出し、ガイド板６の先端を折り返して巻取リール５にシールテープ２の先端を固定した後、右カバー部材３ｂと左カバー３ａとを連結し、支軸１４、２５で第１の回転板１６を軸支し、支軸１５、２６で第２の回転板１７を軸支させればよい。
【００２２】
この状態で第２の回転板１７を時計方向に回転させれば、シールテープ２は巻取リール５に巻き取られ、第１の回転板１６の係止爪２７がラチェット板１１のラチェットギヤ１０に噛み合い、第２の回転板１７の係止爪２８がラチェット板１３のラチェットギヤに１２に噛み合って、シールテープ２が緊張した状態で供給リール４と巻取リール５とで保持された状態になり、シール玩具ができ上がる。
【００２３】
このシール玩具Ａを用いて、シールテープ２のシールａを対象物（例えば、指先の爪）に貼り付ける場合は、ダイヤル（第２の回転板）１７を図１上で時計方向に回してシールテープ２を巻取リール５に巻き取る（図４（ａ）参照）。このとき、シールテープ２はガイド板６の先端を鋭角に折り返して巻取リール５に巻き取られる。弾性率が小さいベーステープ２ａは鋭角に曲折させられるが、ベーステープ２ａよりも弾性率が大きいシールａは曲折しないので、シールａの一部はベーステープ２ａから剥がれて、ガイド板６の先端から突出した状態になるので(図４（ｂ）参照)、この状態で、図４（ｃ）に示すように、ケース３の先端の舌片７でシールａの前部を爪に押し当て、ダイヤル１７をさらに回せばよい。
【００２４】
このことによりシールａはベーステープ２ａから完全に離反し、爪の上に転着するので指先でシールａを爪に押し付ければ、図４（ｄ）（ｅ）に示すように、確実に爪にシールを貼り付けることができる。
【００２５】
上述のように、簡単な構造のシール玩具でありながらダイヤルを構成する第２の回転板１７を回すだけの簡単な操作でシールａを対象物に貼ることができ、構成部品を供給用のリール４を保持する回転板１６と巻き取り用のリール５を保持する第２の回転板１７と、シールテープ２を曲折してガイドするガイド板６を基本構成としたので、構成部品が少なく、シール玩具Ａの小型化が図れるので、図１（ａ）に示すように、吊り下げ部材２４を取り付ければ、アクセサリーとしての携帯が可能になり、いつでもどこでもシールａを貼り付けることができるシール玩具を実現することができる。
【実施例２】
【００２６】
図５（ａ）（ｂ）は、シール玩具の他の例の斜視図及び内部を透視した透視斜視図を示し、このシール玩具Ａ´はホルダー３０の中にカートリッジＢをセットし、ホルダー３０のダイヤル３１を回すことによりシールを対象物に貼り付けることができるようにしたもので、カートリッジＢを交換することにより様々なシールを対象物に貼付することができるようにしたものである。
【００２７】
図６に示すように、ホルダー３０は左ホルダー部材３０ａ、右ホルダー部材３０ｂの２部材から構成され、ヒンジ部３２を中心に上部が開放するようになっているもので、内部にはカートリッジＢを保持する保持板３３が形成され、前部は開口し、この開口部３４から上記ダイヤル３１の上部を露出させるとともに、収容したカートリッジＢの前部を突出させることができるようになっている。
【００２８】
そして、左ホルダー部材３０ａにはダイヤル３１がホルダー３０の外部から回転操作できるように配置され、このダイヤル３１の係合軸３５に形成されたキー３５ａにカートリッジＢの第２の回転板１７の軸部１９の軸孔内に形成されたキー溝１９ｂを対応させて軸孔をダイヤル３１の軸部に嵌め合わせて、第２の回転板をダイヤル３１に連結し、ダイヤル３１を回転させることにより第２の回転板を回転させることができるようになっている。
【００２９】
カートリッジＢは、左フレーム４０ａと右フレーム４０ｂとからなるフレーム４０の内部には上述のシール玩具Ａとほぼ同じ構造で、供給リール４と巻取リール５とガイド板６とが配置され、供給リール５は第１の回転板１６に取り付けられ、巻取リール５は第２の回転板１７に取り付けられ、この第２の回転板１７はホルダー３０のダイヤル３１に連係し、ダイヤル３１を回すことにより供給リール４に巻き付けてあるシールテープ２がガイド板６を経由して巻取リール５に巻き取られるようになっている。
【００３０】
上記第１の回転板１６及び第２の回転板１７は左フレーム４０ａに固定されたラチェット板１１、１３のラチェットギヤ１０、１２にそれぞれ噛み合う係止爪２７、２８が形成されているので、ダイヤル３１で巻取リール５に巻き取られるシールテープ２は弛むことなく、緊張した状態が維持されるようになっている。
【００３１】
そして、カートリッジＢの前部はホルダー３０の前端から前方に突出し、前述のシール玩具Ａと同様にベーステープ２ａから剥がれたシールａは爪などの対象物に貼り付けることができるようになっている。
【００３２】
このシール玩具Ａ´は、ホルダー３０を開いて内部にカートリッジＢを装填する。このときダイヤル３１の係合軸３５に第２の回転板１７の軸孔２３をキー溝１９ｂが係合軸３５のキー３５ａに対応するように差し込んで、カートリッジＢをホルダー３０にセットすればよい。
【００３３】
カートリッジＢをホルダー３０に装填すると、カートリッジＢの前部がホルダー３０の前部の開口部３４から前方に突出する状態になるので、ダイヤル３１を後方に回転させると、前述のシール玩具Ａと同様に、巻取リール５が回転し、供給リール４に巻きつけられたシールテープ２はガイド板６の先端を折り返すように経由して巻取リール５に巻き取られる。シールテープ２はガイド板６の先端を通過する際に鋭角に折り返すことになるので、弾性率がベーステープ２ａより大きく設定されたシールａは、ベーステープ２ａから剥がれ、爪などの対象物に貼付することができる。
【００３４】
上記シール玩具Ａ´によれば、カートリッジＢを交換することにより、様々なシールを選択することが可能になり、お気に入りのシールを爪や所持品に貼付することができる。
【図面の簡単な説明】
【００３５】
【図１】（ａ）（ｂ）は本考案に係るシール玩具の斜視図及び内部を透視した透視斜視図
【図２】上記シール玩具の構成を説明する分解斜視図
【図３】（ａ）（ｂ）はシールテープの構成を説明する斜視図及び側面図
【図４】（ａ）〜（ｅ）は上記シール玩具の使用態様説明図
【図５】（ａ）（ｂ）はシール玩具の他の例を説明する斜視図及び内部を透視した透視斜視図
【図６】上記他の例のシール玩具の構成を説明する分解斜視図
【符号の説明】
【００３６】
１    玩具本体
２    シールテープ
２ａ    ベーステープ
３    ケース
４    供給リール
５    巻取リール
６    ガイド板
７    舌片
３０    ホルダー
３５    係合軸
Ａ    シール玩具
ａ    シール
Ｂ    カートリッジ
【図１】
0003108424.tif 000003
【図２】
0003108424.tif 000004
【図３】
0003108424.tif 000005
【図４】
0003108424.tif 000006
【図５】
0003108424.tif 000007
【図６】
0003108424.tif 000008